(57)【要約】【課題】  折り畳み可能で矩形をなす筒状紙体の内部に濾過機能を有する袋体を貼着係止すると共に、該袋体内にレギュラーコーヒー粉末等の被抽出成分を含有する内容物が充填収納され封入された構成からなるドリッパーにおいて、前記袋体と筒状紙体との係止状態が保持されることによって、取り扱い易いドリッパーを提供する。【解決手段】  筒状紙体の一方の開口縁略中央対向部上端に刻設した折罫部でそれぞれ平面視外向きの＜字状に屈曲自在とすると共に、前記袋体の開口縁略中央対向部上端がそれぞれ外折りされ且つ平面視外向きの＜字状に屈曲し、前記筒状紙体の一方の開口縁略中央対向部上端に懸架状態に係止可能とした、および／もしくは、筒状紙体の開口縁略中央対向部上端の突出フラップ上端縁に、袋体の開口縁略中央対向部の上端部が係止可能な複数の鋸歯状凹凸部からなる係止部を設けた構成からなることを特徴とするドリッパー。【選択図】        図１
2008245894.tif 000002
【特許請求の範囲】
【請求項１】
両側端に折り曲げ部を有し折り畳まれて略矩形状をなす筒状紙体と、濾過機能を有する袋体とからなり、前記筒状紙体に前記袋体を挿入して、該袋体の開口縁略中央対向部をそれぞれ外折りし、前記筒状紙体の一方の開口縁略中央対向部外面に貼着すると共に、前記袋体の開口部を内容物の充填収容後に剥離可能に封入したドリッパーにおいて、前記筒状紙体の一方の開口縁略中央対向部上端に刻設した折罫部でそれぞれ平面視外向きの＜字状に屈曲自在とすると共に、前記袋体の開口縁略中央対向部上端がそれぞれ外折りされ且つ平面視外向きの＜字状に屈曲し、前記筒状紙体の一方の開口縁略中央対向部上端に懸架状態に係止可能としたことを特徴とするドリッパー。
【請求項２】
両側端に折り曲げ部を有し折り畳まれて略矩形状をなす筒状紙体と、濾過機能を有する袋体とからなり、前記筒状紙体に前記袋体を挿入して、該袋体の開口縁略中央対向部をそれぞれ外折りし、前記筒状紙体の一方の開口縁略中央対向部外面に貼着すると共に、前記袋体の開口部を内容物の充填収容後に剥離可能に封入したドリッパーにおいて、前記筒状紙体の一方の開口縁略中央対向部上端に、前記外折りされた袋体の開口縁略中央対向部の上端部が係止可能な複数の鋸歯状凹凸部からなる係止部を設けたことを特徴とするドリッパー。
【請求項３】
前記筒状紙体の一方の開口縁略中央対向部上端に、前記外折りされた袋体の開口縁略中央対向部の上端部が係止可能な複数の鋸歯状凹凸部からなる係止部を設けたことを特徴とする請求項１記載のドリッパー。
【発明の詳細な説明】
【技術分野】
【０００１】
本発明は、レギュラーコーヒー粉末、緑茶や紅茶の茶葉などの被抽出成分を含有する内容物を濾過抽出する際に用いる使い捨てタイプのドリッパーに関し、詳しくは、レギュラーコーヒー粉末、緑茶や紅茶の茶葉などの被抽出成分を含有する内容物が充填収納されたドリッパーに関する。
【背景技術】
【０００２】
従来、レギュラーコーヒー、緑茶や紅茶などを喫飲する際に、利便性が良く、利用後の廃棄の便利さなどから、レギュラーコーヒー粉末、緑茶や紅茶の茶葉などの被抽出成分を含有する内容物が充填収納された使い捨てタイプのドリッパーが用いられてきた。
【０００３】
この種のドリッパーは、いずれも折り畳み可能な紙製の器板の内部に漏斗状フィルターを取り付けると共に、漏斗状フィルター内にレギュラーコーヒー粉末、緑茶や紅茶の茶葉等の被抽出成分を含有する内容物が充填収納され封入された構成からなる簡易ドリッパーであって、使用時にはレギュラーコーヒー粉末、緑茶や紅茶の茶葉等の被抽出成分を含有する内容物が封入された収納部を開封して開口状態とすると共に、折り畳まれた紙製の器板を起立させ、紙製の器板に設けられた突片或いは切り込みや切り欠き部を利用してカップ上端周縁にドリッパーを載置固定して、レギュラーコーヒー粉末、緑茶や紅茶の茶葉等の被抽出成分を含有する内容物が封入された漏斗状フィルター内に熱湯を注入することにより、カップ内にレギュラーコーヒーや紅茶、緑茶等を抽出できる紙製簡易ドリッパーである（例えば、特許文献１参照）。
【特許文献１】特開２００２−３０６３４４号公報
【０００４】
特許文献１は、折り畳み状態で略矩形状をなす筒状紙体の、一方の開口縁の略中央対向部外面に、前記筒状紙体に挿入された濾過機能を有する袋体の、開口縁の略中央対向部の端片をそれぞれ外折りし貼着固定してなる紙製簡易ドリッパーであり、実施例にも示されるように、筒状紙体と袋体との貼着には各種の接着剤が用いられるが、抽出のために熱湯が注入される際に、貼着部分に熱湯が掛かり、稀に接着剤自体が軟化し貼着部の剥がれを生じる場合がある。貼着部の剥がれによって前記外折りした袋体の端片は固定状態から解放されるため、収納されている内容物重量および注入された熱湯の荷重により、筒状紙体から袋体が脱落し、よって抽出操作が阻害されたり、袋体の落下で発生する抽出液の飛び跳ねによる衣類や家具、室内の汚損や、火傷の危険性を有する等取り扱い上の欠点を有していた。
【発明の開示】
【発明が解決しようとする課題】
【０００５】
そこで、本発明の目的は、上記問題を解決するためになしたものであって、折り畳み可能で矩形をなす筒状紙体の内部に濾過機能を有する袋体を貼着係止すると共に、該濾過機能を有する袋体内にレギュラーコーヒー粉末、緑茶や紅茶の茶葉等の被抽出成分を含有する内容物が充填収納され封入された構成からなるドリッパーにおいて、前記袋体と筒状紙体との係止状態が保持されることによって、取り扱い易いドリッパーを提供することにある。
【課題を解決するための手段】
【０００６】
上記課題を解決するため、請求項１の発明は、両側端に折り曲げ部を有し折り畳まれて略矩形状をなす筒状紙体と、濾過機能を有する袋体とからなり、前記筒状紙体に前記袋体を挿入して、該袋体の開口縁略中央対向部をそれぞれ外折りし、前記筒状紙体の一方の開口縁略中央対向部外面に貼着すると共に、前記袋体の開口部を内容物の充填収容後に剥離可能に封入したドリッパーにおいて、前記筒状紙体の一方の開口縁略中央対向部上端に刻設した折罫部でそれぞれ平面視外向きの＜字状に屈曲自在とすると共に、前記袋体の開口縁略中央対向部上端がそれぞれ外折りされ且つ平面視外向きの＜字状に屈曲し、前記筒状紙体の一方の開口縁略中央対向部上端に懸架状態に係止可能としたことを特徴とするドリッパーである。
【０００７】
請求項２の発明は、両側端に折り曲げ部を有し折り畳まれて略矩形状をなす筒状紙体と、濾過機能を有する袋体とからなり、前記筒状紙体に前記袋体を挿入して、該袋体の開口縁略中央対向部をそれぞれ外折りし、前記筒状紙体の一方の開口縁略中央対向部外面に貼着すると共に、前記袋体の開口部を内容物の充填収容後に剥離可能に封入したドリッパーにおいて、前記筒状紙体の一方の開口縁略中央対向部上端に、前記外折りされた袋体の開口縁略中央対向部の上端部が係止可能な複数の鋸歯状凹凸部からなる係止部を設けたことを特徴とするドリッパーである。
【０００８】
請求項３の発明は、前記筒状紙体の一方の開口縁略中央対向部上端に、前記外折りされた袋体の開口縁略中央対向部の上端部が係止可能な複数の鋸歯状凹凸部からなる係止部を設けたことを特徴とする請求項１記載のドリッパーである。
【発明の効果】
【０００９】
本発明のドリッパーは、筒状紙体の一方の開口縁略中央対向部上端に突出フラップの上端中央部から垂下し、袋体の開口縁略中央対向部上端が懸架状態に係止可能な折罫を刻設したことにより、抽出のための熱湯注入時において、前記袋体の開口縁略中央対向部の貼着部が剥落した場合にも、前記折罫により平面視外向きの＜字状に折り曲げられた対向する筒状紙体上端部に、前記袋体の開口縁略中央対向部の上端部がそれぞれ外折りされ且つ平面視外向きの＜字状に屈曲することで、袋体の上端部の外折り状態が保持され易くなり、筒状紙体上端屈曲部を袋体上端部の屈曲部が挟持する状態での制動が発生して、袋体上端部の筒状紙体上端への懸架する状態が保持され、抽出操作中に前記袋体が落下するのを防ぐことができ、袋体の筒状紙体からの落下による抽出操作の阻害は発生し難くなり、袋体の落下で発生する抽出液の飛び跳ねによる衣類や家具、室内の汚損や火傷が防止でき、取り扱い易いという効果を有するものである。
【００１０】
また、筒状紙体の一方の開口縁略中央対向部上端に、袋体の開口縁略中央対向部の上端部が係止可能な複数の鋸歯状凹凸部からなる係止部を設けたことにより、前記袋体の開口縁略中央対向部の上端部で袋体に用いられる不織布或いは濾紙の表面が、筒状紙体の一方の開口縁略中央対向部上端に設けられた複数の鋸歯状凹凸部からなる係止部で発生する表面摩擦抵抗により引っ掛かり、袋体上端部の筒状紙体上端への懸架する状態が保持され、上述の効果すなわち、抽出操作中に前記袋体が落下するのを防ぐことができるので、袋体の筒状紙体からの落下による抽出操作の阻害は発生し難く、袋体の落下で発生する抽出液の飛び跳ねによる衣類や家具、室内の汚損や火傷が防止でき、取り扱い易いという効果を奏するものである。
【００１１】
さらに、上記の構成を複合することすなわち、筒状紙体の一方の開口縁略中央対向部上端にそれぞれ突出フラップの上端中央部から垂下する折罫を刻設すると共に、それぞれの突出フラップの上端縁に複数の鋸歯状凹凸部からなる係止部を設けることにより、袋体上端部の筒状紙体上端への懸架状態がより保持され、上述の効果すなわち、抽出操作中に袋体が落下するのを防ぐことができるので、袋体の筒状紙体からの落下による抽出操作の阻害は発生し難く、袋体の落下で発生する抽出液の飛び跳ねによる衣類や家具、室内の汚損や火傷が防止でき、取り扱い易いという効果をより発現するものである。
【発明を実施するための最良の形態】
【００１２】
上記本発明について、図面等を用いて以下に詳述する。図１は本発明に係るドリッパーの一実施例を示す透視平面図。図２は同じく一実施例に用いる筒状紙体の展開平面図。図３（ａ）は本発明に係るドリッパーに用いる袋体の一実施例の平面図。図４は同じく一実施例の使用状態を示す説明用斜視図。図５は本発明に係るドリッパーの他の実施例を示す透視平面図。図６は同じく他の実施例に用いる筒状紙体の展開平面図である。
【００１３】
図１は本発明に係るドリッパーの一実施例を示す透視平面図で、ドリッパー１は両側端に折り曲げ部βを有し、重ね部α（図１では、網点で示した箇所）で接着した両側端の前記折り曲げ部βの略中央部に折込部２１、２１’と、一方の開口縁の略中央部に対向する一対の突出フラップ１３、１３’（図２参照）と、他方の開口縁の略中央部に対向する一対の係合フラップ１４、１４’（図２参照）および両側端部に側端係合突片１５、１５’とを備えた略矩形状の筒状紙体２に、濾過機能を有する略逆台形状の袋体３を挿入し、該袋体３の上端（図３参照）の略中央部に設けた一対の袋体天部突出片３０、３０を前記筒状紙体２の前記突出フラップ１３、１３’（図２参照）にそれぞれ当接させ外側に折り曲げて前記筒状紙体２の一方の開口縁略中央対向部上端の外面に貼着したものであって、前記筒状紙体２の対向する面に、ドリップした際のカップ内に流下する抽出液の液面を確認することができるように窓部１９、１９’（図２参照）が設けられているものである。
【００１４】
図２は図１に示すドリッパーに用いる筒状紙体の展開平面図であって、筒状紙体２は背面補助板１２’、前面板１１、背面主板１２が折罫Ｌ１、Ｌ２を介して順次連接すると共に、前記折罫Ｌ１、Ｌ２と直交する上端縁には前記前面板１１の中央部および前記背面主板１２の略中央部に突出した弧状の両肩部を有する突出フラップ１３、１３’が形成され、前記折罫Ｌ１、Ｌ２と直交する下端縁には前記前面板１１の中央部および前記背面主板１２の略中央部に突出した係合フラップ１４、１４’と、前記折罫Ｌ１、Ｌ２に直交する下端縁の前記折罫Ｌ１、Ｌ２の延長線に対してそれぞれ線対称に突出した側端係合突片１５、１５’が形成され（前記係合フラップ１４、１４’と側端係合突片１５、１５’により必然的に前記下端縁はそれぞれ下端切欠部１６に形成され）、さらに前記折罫Ｌ１、Ｌ２のそれぞれの略中央部に前記折罫Ｌ１、Ｌ２に対して線対称となるように下向き略コの字状の切線Ｌ３、Ｌ４が刻設され、該切線Ｌ３、Ｌ４に連接して上端縁側に前記折罫Ｌ１、Ｌ２に対して線対称となるように略半円状の切抜部１７、１７’が穿設形成され、且つ、前記切線Ｌ３、Ｌ４のそれぞれの両端部から下端縁側に延びて前記折罫Ｌ１、Ｌ２にそれぞれ交わる前記折罫Ｌ１、Ｌ２に対して線対称な折罫Ｌ５、Ｌ６およびＬ７、Ｌ８が形成されると共に、前記折罫Ｌ１と前記折罫Ｌ５、Ｌ６との交点（図示せず）および前記折罫Ｌ２と前記折罫Ｌ７、Ｌ８との交点（図示せず）をそれぞれ中心とする円形状の切欠１８、１８’が穿設形成され、さらに前記前面板１１の中央部と前記背面主板１２の略中央部に略逆台形状の窓部１９、１９’が穿設形成され、且つ前記突出フラップ１３、１３’の上端中央部から垂下し前記窓部１９、１９’上辺に延びる折罫Ｌ９、Ｌ１０を刻設したブランク板２’から構成され、該ブランク板２’から、前記前面板１１上に前記背面主板１２を前記折罫Ｌ２で山折りして折り重ね、次いで前記背面主板１２上に前記背面補助板１２’を前記折罫Ｌ１で山折りして折り重ねると共に、前記背面主板１２と前記背面補助板１２’との重ね部α（図１参照）を接着剤等で接合することにより筒状紙体２を得ることができる。尚、前記ブランク板２’は周知の打抜機で容易に製造することが出来る。
【００１５】
また、図２から明らかなように、図１に示した折込部２１は切線Ｌ３と略半円状の切抜部１７と折罫Ｌ５、Ｌ６と円形状の切欠１８および前記切線Ｌ３と前記円形状の切欠１８との間の折罫Ｌ１で形成されるように構成されると共に、折込部２１’は切線Ｌ４と略半円状の切抜部１７’と折罫Ｌ７、Ｌ８と円形状の切欠１８’および前記切線Ｌ４と前記円形状の切欠１８’との間の折罫Ｌ２で形成されるように構成されている。筒状紙体２を形成する材料としては、例えば、２００〜３４０ｇ／ｍ２の耐水カード紙、アイボリー紙などの厚紙が適当である。さらにまた、前記した厚紙の片面（前記袋体３と当接する面）ないし両面にポリエチレン等の樹脂を塗布したものを用いてもよいものであり、このように構成することにより、熱湯や湯気が掛かった際にも、前記筒状紙体の剛性の低下を防止することができる。
【００１６】
図３（ａ）は本発明に係るドリッパーに用いる袋体の一実施例の平面図。図３（ｂ）は図３（ａ）のＸ−Ｘ線断面図で、袋体３は、例えば、熱接着性を有するロール状の長尺シート、具体的には最内層に変性ポリプロピレンを含有している三層構成からなる濾紙を長手方向に二つ折りして折部３３を形成するなり、或いは、前記折部３３をＷ折り（ガセット折り）するなりして重ね合わせ、両側辺所定箇所をそれぞれ熱接着して熱接着部３１となる箇所を形成して後に、断裁および／ないし打ち抜きすることにより、図３（ａ）に示すように、上部中央に突出片３０を有すると共に前記熱接着部３２の上部に未接着部３４を有する袋体３を形成するもので、次に、前記袋体３内に前記突出片３０側をそれぞれ吸引板等により開口してレギュラーコーヒー粉末、緑茶や紅茶の茶葉等の被抽出成分を含有する内容物（図示せず、以下内容物と呼称する）を充填収納し、前記袋体３の開口部の所定位置を剥離可能接着部３２として熱接着することにより（図１参照）、内容物（図示せず）を収納する袋体３を製造することができる。尚、図３（ｂ）に示すように、前記袋体３は折部３３がＷ折り（ガセット折り）に形成されたものであって、折部３３が二つ折りに形成されたもの（図示せず）と比べて、内容物の収容量を多くすることが出来ると共に、袋体３内に熱湯を注ぐと袋体３の底部が完全に開くために、効率よく抽出液を得ることが出来る。上記した袋体３の製造方法は、一実施例を示したものであって、これに限定されるものではない。
【００１７】
袋体３は濾過機能を有する素材であれば特に限定するものではないが、袋体とする際の加工性を考慮すると素材自体が熱接着性を有するもの、或いは最内層が熱接着性を有する構成からなるものが好ましい。例えば、ポリエチレンやポリプロピレン等のオレフィン系ないしエステル系等の透水性を有する不織布、或いは、最内層にポリエチレンやポリプロピレン等のオレフィン系ないしエステル系等の熱可塑性樹脂を含有している層を有する二層ないし三層構成からなる濾紙等を例示することが出来る。
【００１８】
筒状紙体２への袋体３の組み付けは、前記筒状紙体２に袋体３を挿入し、前記袋体３の開口縁の略中央部に設けた一対の突出片３０、３０を前記筒状紙体２の一方の開口縁略中央部に設けた対向する一対の突出フラップ１３、１３’に当接させて外側に折り曲げ、前記筒状紙体２の一方の開口縁略中央対向部上端の外面に貼着することにより、図１に示すドリッパー１とすることが出来る。尚、前記袋体３の突出片３０、３０を前記筒状紙体２に貼着する箇所は、図１においての前記筒状紙体２の一方の開口縁側（図１では、上縁側）の略中央部とすることが望ましく、これは使用時に前記突出片３０、３０が貼着されていることで、前記袋体３の両側面が持ち上がり、前記袋体３が確実に開き、注湯や抽出に適するためである。尚、前記筒状紙体２と前記袋体３の前記突出片３０との貼着は、ホットメルト型、溶剤型、水性型、反応型、感圧型等の接着剤から適宜選択して用いることが出来る。また、筒状紙体のブランク板２’の背面主板１２と背面補助板１２’との重ね部α（図１参照）を接着する接着剤についても同様に、上記した接着剤から適宜選択して用いることが出来る。尚、ドリッパー１において、窓部１９、１９’はドリップした際のカップ内に流下する抽出液の液面を確認することができるように設けたものであるが、必要不可欠なものではない。
【００１９】
図４は本発明に係るドリッパーの使用状態を示す説明用斜視図で、使用にあたって、先ず、レギュラーコーヒー粉末、緑茶や紅茶の茶葉等の被抽出成分を含有する内容物（図示せず）が充填収納された袋体３がセットされた筒状紙体２からなるドリッパー１の、前記袋体３の突出片３０、３０がそれぞれ貼着された前記筒状紙体２の一方の開口縁略中央対向部上端の突出フラップ１３、１３’を互いに乖離する方向に引っ張り、前記袋体３の剥離可能に閉じた剥離可能接着部３２を剥離開封し、前記袋体３を開口して開口部を設け、前記筒状紙体２の両側端の折り曲げ部βに設けられた折込部２１、２１’を内方向に折り込んで前記筒状紙体２を平面視略紡錘形筒状に開口した状態で保形すると共に、前記筒状紙体２の開口縁略中央対向部上端にそれぞれ刻設した折罫を用いて前記筒状紙体２の開口縁略中央対向部を平面視外向きの＜字状に屈曲させ、次に前記筒状紙体２の中央係合突片２３、２３’がカップ周壁の内側に当接し、前記筒状紙体２の側端係合突片２４、２４’がカップ周壁の外側に当接するように切欠部２８をカップ周壁に挿入し、前記筒状紙体２の下端縁をカップ周壁上端に当接して、図示の如くドリッパーをカップ上に載置固定する。次に、袋体３の開口部に適当量の熱湯を注入して、カップ内に所望の抽出液を流下させ、該抽出液を喫飲するものである。
【００２０】
図４において、筒状紙体２の開口縁略中央対向部上端すなわちそれぞれの突出フラップ１３、１３’ の上端中央部から窓部１９、１９’上辺に亘って刻設した折罫Ｌ９、Ｌ１０を用いて、筒状紙体２の対向する上端部を平面視外向きの＜字状に屈曲されると共に、前記突出フラップ１３、１３’の外面に貼着された袋体３の開口縁略中央対向部の上端部がそれぞれ外折り状態で且つ平面視外向きの＜字状に屈曲されているので、袋体３の上端部の外折り状態が保持され易くなり、筒状紙体２の上端屈曲部を袋体３の上端部の外折り屈曲部が挟持する状態での制動が発生して、袋体３の上端部が筒状紙体２の上端へ懸架する状態を保持しているものである。上記構成により、抽出のための熱湯注入時において、貼着部分に熱湯が掛かり、稀に貼着温度より高い温度となって接着剤が軟化し貼着部の剥がれを生じる場合があっても、抽出操作中に前記袋体３が落下するのを防ぐことができ、袋体３の筒状紙体２からの落下による抽出操作の阻害は発生し難く、袋体３の落下で発生する抽出液の飛び跳ねによる衣類や家具、室内の汚損や火傷が防止できる。
【００２１】
図５は本発明に係るドリッパーの他の実施例を示す透視平面図で、ドリッパー１０１は両側端に折り曲げ部βを有し、重ね部α（図５では、網点で示した箇所）で接着した両側端の前記折り曲げ部βの略中央部に折込部１２１、１２１’と、一方の開口縁の略中央部に対向する一対の突出フラップ１１３、１１３’（図６参照）と、他方の開口縁の略中央部に対向する一対の係合フラップ１１４、１１４’（図６参照）および両側端部に側端係合突片１１５、１１５’とを備えた略矩形状の筒状紙体１０２に、濾過機能を有する略逆台形状の袋体１０３を挿入し、該袋体１０３の上端（図３参照）の略中央部に設けた一対の袋体天部突出片１３０、１３０を前記筒状紙体１０２の前記突出フラップ１１３、１１３’（図６参照）にそれぞれ当接させ外側に折り曲げて前記筒状紙体１０２の一方の開口縁略中央対向部上端の外面に貼着したものであって、前記筒状紙体１０２の対向する面に、ドリップした際のカップ内に流下する抽出液の液面を確認することができるように窓部１１９、１１９’（図２参照）が設けられているものである。
【００２２】
図６は同じく他の実施例に用いる筒状紙体の展開平面図で、筒状紙体１０２は背面補助板１１２’、前面板１１１、背面主板１１２が折罫Ｌ１０１、Ｌ１０２を介して順次連接すると共に、前記折罫Ｌ１０１、Ｌ１０２と直交する上端縁には前記前面板１１１の中央部および前記背面主板１１２の略中央部に突出した弧状の両肩部を有すると共に複数の鋸歯状凹凸部からなる上端部を有する突出フラップ１１３、１１３’が形成され、前記折罫Ｌ１０１、Ｌ１０２と直交する下端縁には前記前面板１１１の中央部および前記背面主板１１２の略中央部に突出した係合フラップ１１４、１１４’と、前記折罫Ｌ１０１、Ｌ１０２に直交する下端縁の前記折罫Ｌ１０１、Ｌ１０２の延長線に対してそれぞれ線対称に突出した側端係合突片１１５、１１５’が形成され（前記係合フラップ１１４、１１４’と側端係合突片１１５、１１５’により必然的に前記下端縁はそれぞれ下端切欠部１１６に形成され）、さらに前記折罫Ｌ１０１、Ｌ１０２のそれぞれの略中央部に前記折罫Ｌ１０１、Ｌ１０２に対して線対称となるように下向き略コの字状の切線Ｌ１０３、Ｌ１０４が刻設され、該切線Ｌ１０３、Ｌ１０４に連接して上端縁側に前記折罫Ｌ１０１、Ｌ１０２に対して線対称となるように略半円状の切抜部１１７、１１７’が穿設形成され、且つ、前記切線Ｌ１０３、Ｌ１０４のそれぞれの両端部から下端縁側に延びて前記折罫Ｌ１０１、Ｌ１０２にそれぞれ交わる前記折罫Ｌ１０１、Ｌ１０２に対して線対称な折罫Ｌ１０５、Ｌ１０６およびＬ１０７、Ｌ１０８が形成されると共に、前記折罫Ｌ１０１と前記折罫Ｌ１０５、Ｌ１０６との交点（図示せず）および前記折罫Ｌ１０２と前記折罫Ｌ１０７、Ｌ１０８との交点（図示せず）をそれぞれ中心とする円形状の切欠１０８、１０８’が穿設形成され、さらに前記前面板１１１の中央部と前記背面主板１１２の略中央部に略逆台形状の窓部１１９、１１９’が穿設形成されたブランク板１０２’から構成され、該ブランク板１０２’から、前記前面板１１１上に前記背面主板１１２を前記折罫Ｌ１０２で山折りして折り重ね、次いで前記背面主板１１２上に前記背面補助板１１２’を前記折罫Ｌ１０１で山折りして折り重ねると共に、前記背面主板１１２と前記背面補助板１１２’との重ね部α（図１参照）を接着剤等で接合することにより筒状紙体１０２を得ることができる。尚、前記ブランク板１０２’は周知の打抜機で容易に製造することが出来る。
【００２３】
また、図６から明らかなように、図５に示した折込部１２１は切線Ｌ１０３と略半円状の切抜部１１７と折罫Ｌ１０５、Ｌ１０６と円形状の切欠１１８および前記切線Ｌ１０３と前記円形状の切欠１１８との間の折罫Ｌ１０１で形成されるように構成されると共に、折込部１２１’は切線Ｌ１０４と略半円状の切抜部１１７’と折罫Ｌ１０７、Ｌ１０８と円形状の切欠１１８’および前記切線Ｌ１０４と前記円形状の切欠１１８’との間の折罫Ｌ１０２で形成されるように構成されている。筒状紙体１０２を形成する材料としては、前述の一実施例と同様に、例えば、２００〜３４０ｇ／ｍ２の耐水カード紙、アイボリー紙などの厚紙が適当である。さらにまた、前記した厚紙の片面（前記袋体３と当接する面）ないし両面にポリエチレン等の樹脂を塗布したものを用いてもよいものであり、このように構成することにより、熱湯や湯気が掛かった際にも、前記筒状紙体の剛性の低下を防止することができる。
【００２４】
本発明に係る他の実施例に用いる袋体１０３の素材、構成、構造並びに製造方法に関しては、前述した一実施例に用いる袋体３の素材、構成、構造並びに製造方法と同様であるので、説明を省略する。また、筒状紙体１０２への袋体１０３の組み付けに関しても、前述した一実施例における筒状紙体２への袋体３の組み付けと同様であるので、説明を省略する。
【００２５】
本発明に係るドリッパーの他の実施例についての使用状態は、前述した一実施例とほぼ同様であるので図示は省略したが、使用にあたって、先ず、レギュラーコーヒー粉末、緑茶や紅茶の茶葉等の被抽出成分を含有する内容物が充填収納された袋体１０３がセットされた筒状紙体１０２からなるドリッパー１０１の、前記袋体１０３の突出片１３０、１３０がそれぞれ貼着された前記筒状紙体１０２の突出フラップ１１３、１１３’を互いに乖離する方向に引っ張り、前記袋体１０３の剥離可能に閉じた剥離可能接着部１３２を剥離開封し、前記袋体１０３を開口して開口部を設け、前記筒状紙体１０２の両側端の折り曲げ部βに設けられた折込部１２１、１２１’を内方向に折り込んで前記筒状紙体１０２を平面視略紡錘形筒状に開口した状態で保形し、次に前記筒状紙体１０２の中央係合突片１２３、１２３’がカップ周壁の内側に当接し、前記筒状紙体１０２の側端係合突片１２４、１２４’がカップ周壁の外側に当接するように切欠部１２８をカップ周壁に挿入し、前記筒状紙体１０２の下端縁をカップ周壁上端に当接して、ドリッパー１０１をカップ上に載置固定する。次に、袋体３の開口部に適当量の熱湯を注入して、カップ内に所望の抽出液を流下させ、該抽出液を喫飲するものである。
【００２６】
上記の使用状態において、袋体１０３の開口縁略中央対向部の上端部は外折りされて、筒状紙体１０２の一方の開口縁略中央対向部上端すなわち突出フラップ１１３、１１３’に懸架状態となると共に前記筒状紙体１０２の一方の開口縁略中央対向部上端の外面に貼着されており、さらに前記突出フラップ１１３、１１３’の上端縁に設けた複数の鋸歯状凹凸部からなる係止部に前記袋体１０３に用いられる不織布或いは濾紙の表面が表面摩擦抵抗により引っ掛かっている構成で、上記構成により、抽出のための熱湯注入時において、貼着部分に熱湯が掛かり、稀に貼着温度より高い温度となって接着剤が軟化し貼着部の剥がれを生じる場合があっても、抽出操作中に前記袋体１０３が落下するのを防ぐことができ、袋体１０３の筒状紙体１０２からの落下による抽出操作の阻害は発生し難く、袋体１０３の落下で発生する抽出液の飛び跳ねによる衣類や家具、室内の汚損や火傷が防止できる。
【００２７】
本発明に係るドリッパーの実施例と従来例との機能評価について、以下に説明する。
実施例１
ドリッパーに用いる筒状紙体の一方の開口縁略中央対向部上端に刻設した折罫部でそれぞれ平面視外向きの＜字状に屈曲自在としたサンプル。
実施例２
ドリッパーに用いる筒状紙体の一方の開口縁略中央対向部上端に複数の鋸歯状凹凸部からなる係止部を設けたサンプル。
従来例
上記実施例１及び２の加工を施さないサンプル。
テスト条件
上記それぞれの筒状紙体に袋体を挿入し、袋体の突出片を筒状紙体の突出フラップに当接させて外側に折り曲げ、筒状紙体の上端の外面に貼着接合してなるドリッパーをカップ状容器上部にセットし、袋体内に２００ｇの錘を入れて荷重をかけ、摂氏１００度のチャンバー内にて、袋体が筒状紙体より脱落する時間を計測。
結果
従来例は、テスト開始後約３０秒で袋体が筒状紙体より脱落し、落下。
実施例１および２はいずれも、テスト開始後５分を経過しても袋体は筒状紙体より脱落せず、落下しなかった。
【００２８】
図示は省略したが、前述した構成を複合することにより、すなわち筒状紙体の一方の開口縁略中央対向部上端にそれぞれ折罫を刻設すると共に、それぞれの突出フラップの上端縁に複数の鋸歯状凹凸部からなる係止部を設けるという複合した構成により、袋体上端部の筒状紙体上端への懸架状態がより保持され、抽出のための熱湯注入時において、貼着部分に熱湯が掛かり、稀に貼着温度より高い温度となって接着剤が軟化し貼着部の剥がれを生じる場合があっても、抽出操作中に前記袋体が落下するのを防ぐことができ、袋体の筒状紙体からの落下による抽出操作の阻害は発生し難く、さらに袋体の落下で発生する抽出液の飛び跳ねによる衣類や家具、室内の汚損や火傷が防止できる。
【図面の簡単な説明】
【００２９】
【図１】本発明に係るドリッパーの一実施例を示す透視平面図。
【図２】同じく一実施例に用いる筒状紙体の展開平面図。
【図３】（ａ）本発明に係るドリッパーに用いる袋体の平面図。                （ｂ）同じく袋体のＸ−Ｘ線断面図。
【図４】本発明に係るドリッパーの使用状態を示す説明用斜視図。
【図５】本発明に係るドリッパーの他の実施例を示す透視平面図。
【図６】同じく他の実施例に用いる筒状紙体の展開平面図。
【符号の説明】
【００３０】
１、１０１                            ドリッパー
２、１０２                            筒状紙体
２’、１０２’                        筒状紙体ブランク
３、１０３                            袋体
１１、１１１                            前面板
１２、１１２                            背面主板
１２’、１１２’                        背面補助板
１３、１３’、１１３、１１３’          突出フラップ
１４、１４’、１１４、１１４’          係合フラップ
１５、１５’、１１５、１１５’          側端係合突片
１６、１１６                            下端切欠部
１７、１７’、１１７、１１７’          切抜部
１８、１８’、１１８、１１８’          切欠
１９、１９’、１１９、１１９’          窓部
Ｌ１、Ｌ２、Ｌ５〜Ｌ１０                折罫
Ｌ１０１、Ｌ１０２、Ｌ１０５〜Ｌ１０８  折罫
Ｌ３、Ｌ４、Ｌ１０３、Ｌ１０４          切線
２１、２１’、１２１、１２１’          折込部
３０、１３０                            袋体天部突出片
３１、１３１                            側辺熱接着部
３２、１３２                            剥離可能熱接着部
３３、１３３                            袋体底折部
α                                      重ね部
β                                      折り曲げ部
【図１】
2008245894.tif 000003
【図２】
2008245894.tif 000004
【図３】
2008245894.tif 000005
【図４】
2008245894.tif 000006
【図５】
2008245894.tif 000007
【図６】
2008245894.tif 000008